(57)【要約】  物理的な構造を施さなくても、一定期間複数回使用できる眼科用製品を提供することを目的として、本発明の眼科用製品は、銀担持リン酸ジルコニウムを含む樹脂で形成されたマルチドーズ型点眼容器に、ｐＨが７未満である眼科用組成物が収容されている。【特許請求の範囲】
【請求項１】
銀担持リン酸ジルコニウムを含む樹脂で形成されたマルチドーズ型点眼容器に、ｐＨが７未満である眼科用組成物が収容された眼科用製品。
【請求項２】
前記眼科用組成物と接触している前記樹脂の一部または全部が銀担持リン酸ジルコニウムを含む、請求項１に記載の眼科用製品。
【請求項３】
前記樹脂に対して、０．０８〜１０％（ｗ／ｗ）の濃度の銀担持リン酸ジルコニウムを含む、請求項１または２に記載の眼科用製品。
【請求項４】
前記樹脂に対して、０．０８超乃至１０％（ｗ／ｗ）以下の濃度の銀担持リン酸ジルコニウムを含む、請求項１または２に記載の眼科用製品。
【請求項５】
前記樹脂に対して、０．０８超乃至５％（ｗ／ｗ）以下の濃度の銀担持リン酸ジルコニウムを含む、請求項１または２に記載の眼科用製品。
【請求項６】
前記樹脂に対して、０．０８超乃至１％（ｗ／ｗ）以下の濃度の銀担持リン酸ジルコニウムを含む、請求項１または２に記載の眼科用製品。
【請求項７】
前記銀担持リン酸ジルコニウムが、銀をイオン濃度で０．００１〜２０％（ｗ／ｗ）含む、請求項１〜６のいずれか１項に記載の眼科用製品。
【請求項８】
前記眼科用組成物が防腐剤を実質的に含有しない、請求項１〜７のいずれか１項に記載の眼科用製品。
【請求項９】
樹脂に対して、０．０８〜１０％（ｗ／ｗ）の濃度の銀担持リン酸ジルコニウムを含む樹脂で形成されたマルチドーズ型点眼容器に、ｐＨが７未満である眼科用組成物が収容された眼科用製品であって、
前記眼科用組成物と接触している前記樹脂の一部または全部が銀担持リン酸ジルコニウムを含み、
前記銀担持リン酸ジルコニウムが、銀をイオン濃度で０．００１〜２０％（ｗ／ｗ）含み、
前記眼科用組成物が防腐剤を実質的に含有しない、眼科用製品。
【請求項１０】
前記眼科用組成物のｐＨが３以上、７未満である、請求項１〜９のいずれか１項に記載の眼科用製品。
【請求項１１】
前記眼科用組成物が、界面活性剤および等張化剤からなる群から選択される少なくとも１種をさらに含む、請求項１〜１０のいずれか１項に記載の眼科用製品。
【請求項１２】
前記界面活性剤が、非イオン性界面活性剤である、請求項１１に記載の眼科用製品。
【請求項１３】
前記非イオン性界面活性剤が、ポリオキシエチレン脂肪酸エステル、ポリオキシエチレンソルビタン脂肪酸エステル、ポリオキシエチレン硬化ヒマシ油、ポリオキシエチレンヒマシ油、ポリオキシエチレンポリオキシプロピレングリコール、ショ糖脂肪酸エステルおよびビタミンＥ  ＴＰＧＳからなる群から選択される少なくとも１種である、請求項１２に記載の眼科用製品。
【請求項１４】
前記等張化剤が、イオン性等張化剤および／または非イオン性等張化剤である、請求項１１に記載の眼科用製品。
【請求項１５】
前記イオン性等張化剤が、塩化ナトリウム、塩化カリウム、塩化カルシウム、塩化マグネシウム、ホウ酸およびホウ砂からなる群から選択される少なくとも１種である、請求項１４に記載の眼科用製品。
【請求項１６】
前記非イオン性等張化剤が、グリセリン、プロピレングリコール、ソルビトールおよびマンニトールからなる群から選択される少なくとも１種である、請求項１４に記載の眼科用製品。
【請求項１７】
前記マルチドーズ型点眼容器の容器本体の容量が５〜２０ｍＬである、請求項１〜１６のいずれか１項に記載の眼科用製品。
【請求項１８】
前記眼科用組成物の総容量が２〜２０ｍＬである、請求項１〜１７のいずれか１項に記載の眼科用製品。
【請求項１９】
前記眼科用組成物が点眼剤である、請求項１〜１８のいずれか１項に記載の眼科用製品。
【請求項２０】
前記眼科用製品が点眼剤製品である、請求項１〜１９のいずれか１項に記載の眼科用製品。
【請求項２１】
ｐＨが７未満である眼科用組成物であって、
前記眼科用組成物が、銀担持リン酸ジルコニウムを含む樹脂で形成されたマルチドーズ型点眼容器に収容されていることを特徴とする眼科用組成物。
【発明の詳細な説明】
【技術分野】
【０００１】
本発明は、銀担持リン酸ジルコニウムを含む樹脂で形成されたマルチドーズ型点眼容器に、ｐＨが７未満である眼科用組成物が収容された眼科用製品に関する。
【背景技術】
【０００２】
点眼容器には、複数回使用可能なマルチドーズ型点眼容器と１回使い切りユニットドーズ型点眼容器がある。マルチドーズ型点眼容器は、一定期間複数回使用することから菌類等の繁殖を防止するために眼科用組成物に塩化ベンザルコニウムなどの防腐剤が配合されるのが一般的である。しかし、例えば、防腐剤である塩化ベンザルコニウムには細胞障害性があり、曝露量が増えると角膜上皮障害を引き起こす可能性があることから防腐剤を含まないことがより望ましい。そのため、防腐剤を含まない眼科用組成物を収容する点眼容器として、上述のユニットドーズ点眼容器が使用されている。また、近年では、導出孔に逆流防止弁を有することで防腐効果を発揮する容器やフィルター付きのデラミボトルとすることで防腐効果を発揮する容器など、物理的な構造によって防腐剤を含まずとも防腐効果を発揮するマルチドーズ型点眼容器（ＰＦＭＤ（Ｐｒｅｓｅｒｖａｔｉｖｅ  Ｆｒｅｅ
Ｍｕｌｔｉ  Ｄｏｓｅ）容器）も使用されている（例えば特許文献１など）。【０００３】
ところで、特許文献２には、容器の全面または所要部分に抗菌性ゼオライトが分散保持されたユニットドーズ型点眼容器が開示されており（技術分野、請求項１、２２など）、点眼容器の抗菌力が確認されたことが示されている（試験例−１）。しかし、一般にユニットドーズ型点眼容器は１回使い切りのためコストが高く、かさばる、あるいは開封がしにくいといった使用上の欠点もある。
【先行技術文献】
【特許文献】
【０００４】
【特許文献１】特開２００２−８００５５号公報
【特許文献２】国際公開ＷＯ９７／０１４９３号パンフレット
【発明の概要】
【発明が解決しようとする課題】
【０００５】
本発明の一態様の課題は、上述の逆流防止弁やフィルター付きデラミボトルなど物理的な構造を施さなくても、一定期間複数回使用できる眼科用製品を提供することである。
【課題を解決するための手段】
【０００６】
本発明者は、上記課題を解決するために鋭意研究を行った結果、銀担持リン酸ジルコニウムを含む樹脂で形成されたマルチドーズ型点眼容器に、ｐＨが７未満である眼科用組成物が収容された眼科用製品が優れた保存効力を有することを見出し、本発明を完成させた。【０００７】
すなわち、本発明の一態様に係る眼科用製品は、銀担持リン酸ジルコニウムを含む樹脂で形成されたマルチドーズ型点眼容器に、ｐＨが７未満である眼科用組成物が収容された構成である。【０００８】
また、本発明の他の態様に係る眼科用製品は、樹脂に対して、０．０８〜１０％（ｗ／ｗ）の濃度の銀担持リン酸ジルコニウムを含む樹脂で形成されたマルチドーズ型点眼容器に、ｐＨが７未満である眼科用組成物が収容された眼科用製品であって、前記眼科用組成物と接触している前記樹脂の一部または全部が銀担持リン酸ジルコニウムを含み、前記銀担持リン酸ジルコニウムが、銀をイオン濃度で０．００１〜２０％（ｗ／ｗ）含み、前記眼科用組成物が防腐剤を実質的に含有しない、構成である。【０００９】
さらに、本発明のさらに他の態様に係る眼科用組成物は、ｐＨが７未満である眼科用組成物であって、前記眼科用組成物が、銀担持リン酸ジルコニウムを含む樹脂で形成されたマルチドーズ型点眼容器に収容されている。
【発明の効果】
【００１０】
銀担持リン酸ジルコニウムを含む樹脂で形成されたマルチドーズ型点眼容器に、ｐＨが７未満である眼科用組成物が収容された眼科用製品は、優れた保存効力を有する。本発明の態様によれば、上述の逆流防止弁やフィルター付きデラミボトルなど物理的な構造を施さなくても、一定期間複数回使用でき、上述のユニットドーズ型点眼容器の欠点もないことから有用である。
【発明を実施するための形態】
【００１１】
以下、本発明の一実施形態に関してさらに詳しく説明する。なお、本明細書において特記しない限り、数値範囲を表す「Ａ〜Ｂ」または「Ａ乃至Ｂ」は、「Ａ以上（Ａを含みかつＡよりも大きい）、Ｂ以下（Ｂを含みかつＢよりも小さい）」を意味する。また、「Ａ超乃至Ｂ」は、「Ａを超え（Ａより大きい）、Ｂ以下（Ｂを含みかつＢより小さい）」を意味する。
【００１２】
本発明の一実施形態は、銀担持リン酸ジルコニウムを含む樹脂で形成されたマルチドーズ型点眼容器（以下、「本点眼容器」ともいう）に、ｐＨが７未満である眼科用組成物（以下、「本組成物」ともいう）が収容された眼科用製品（以下、「本製品」ともいう）を提供する。ここで、「本製品」としては、例えば、点眼剤の製品（「点眼剤製品」ともいう）が挙げられる。
【００１３】
本発明の一実施形態において、「眼科用組成物」とは、眼疾患などの予防および／または治療に使用するための組成物のことをいう。その剤型としては、例えば、点眼剤が挙げられる。ここで点眼剤とは点眼液または点眼薬と同義であり、コンタクトレンズ用点眼剤も点眼剤の定義に含まれる。
【００１４】
本組成物の形態としては、特に制限されないが、例えば、水溶液、懸濁液、乳濁液、ゲルなどが挙げられる。
【００１５】
本組成物が点眼剤、特に水性点眼剤である場合、溶媒として水を含有することが好ましい。水の例としては、滅菌精製水、注射用水等を挙げることができる。水の含有量としては、例えば、８０％（ｗ／ｖ）以上１００％（ｗ／ｖ）未満であることが好ましく、８５％（ｗ／ｖ）以上９９．５％（ｗ／ｖ）％以下であることがより好ましく、９０％（ｗ／ｖ）以上９９．２％（ｗ／ｖ）以下であることがさらに好ましい。
【００１６】
本組成物は、保存効力をより発揮するために、添加物として防腐剤を含んでもよいが、後述の実施例に示すように、本製品は高い保存効力を有することから、眼科用組成物に一般に使用される防腐剤を含有しなくてもよい。防腐剤の例としては、例えば、ベンザルコニウム塩化物、ベンザルコニウム臭化物、ベンゼトニウム塩化物、ベンゾドデシニウム臭化物、ソルビン酸、ソルビン酸カリウム、パラオキシ安息香酸メチル、パラオキシ安息香酸プロピル、クロロブタノール、クロルヘキシジンなどが挙げられる。
【００１７】
本発明の一実施形態において、本組成物が防腐剤を実質的に含有しないことが好ましい。「防腐剤を実質的に含有しない」とは、防腐剤を全く含有しないか、または限られた量の防腐剤を含有することを意味する。ここで、「限られた量の防腐剤を含有する」とは、防腐剤の防腐効力を発揮しない量を意味する。例えば、防腐剤単独で医薬としての防腐効力を発揮しない量を意味することが挙げられる。具体的には、防腐剤の種類によっても異なるが、例えば、好ましくは約０．０１％（ｗ／ｗ）以下の防腐剤を含有することをいい、より好ましくは約０．００５％（ｗ／ｗ）以下の防腐剤を含有することをいい、さらに好ましくは約０．００１％（ｗ／ｗ）以下の防腐剤を含有することをいい、よりさらに好ましくは約０．０００５％（ｗ／ｗ）以下の防腐剤を含有することをいい、特に好ましくは約０．０００１％（ｗ／ｗ）以下の防腐剤を含有することをいう。
【００１８】
本発明の一実施形態において、「マルチドーズ型点眼容器」は、本組成物を収容する容器本体、容器本体に収容された本組成物を注出する注出口を有する注出部、および注出口をふさぐキャップを備えた点眼容器であって、キャップの開封、再封を自由に行うことができる点眼容器のことをいう。ここで、マルチドーズ型点眼容器は、容器本体に装着可能な中栓を注出部として使用してもよいし、本組成物を収容する収容部（容器本体）と注出部が一体成型された容器本体および注出口をふさぐキャップから構成されていてもよい。当該容器の形状、大きさについては特に制限されるものではなく、収容する本組成物の含量、種類、性質等に応じて適宜設定することができる。
【００１９】
当該マルチドーズ型容器には、通常一定期間使用するために複数回分の眼科用組成物が収容されている。
【００２０】
本発明の一実施形態において、マルチドーズ型点眼容器の容器本体の容量は眼科用製品に許容される範囲内にあれば特に制限されないが、５〜２０ｍＬが好ましく、５〜１５ｍＬがより好ましく、５〜１０ｍＬがさらに好ましい。
【００２１】
本発明の一実施形態において、マルチドーズ型点眼容器に収容される眼科用組成物の総容量は、眼科用製品に許容される範囲内にあれば特に制限されないが、２〜２０ｍＬが好ましく、２〜１０ｍＬがより好ましく、２〜５ｍＬがさらに好ましい。
【００２２】
本発明の一実施形態において、マルチドーズ型点眼容器は樹脂で形成されるが、その材質は特に限定されない。例えば、ポリエチレン（ＰＥ；高密度ポリエチレン（ＨＤＰＥ）、低密度ポリエチレン（ＬＤＰＥ）、直鎖状低密度ポリエチレン（ＬＬＤＰＥ））、ポリプロピレン（ＰＰ）、ポリエチレンテレフタレート（ＰＥＴ）などの樹脂を挙げることができる。
【００２３】
本発明の一実施形態において、銀担持リン酸ジルコニウムはマルチドーズ型点眼容器の樹脂に含まれていれば特に制限されないが、眼科用組成物の保存効力を発揮させるためには、容器本体の樹脂に含まれていることが好ましく、本組成物と接触している樹脂の一部または全部に少なくとも含まれていることがより好ましい。また、銀担持リン酸ジルコニウムがマルチドーズ型点眼容器の樹脂に含まれるとは、銀担持リン酸ジルコニウムがマルチドーズ型点眼容器の樹脂に分散保持されていることを意味する。
【００２４】
なお、本発明の一実施形態において、「ユニットドーズ型容器」とは、瓶口部にキャップが融着封止され、使用時に当該キャップと瓶形本体との融着部を破断開封して使用することを目的とした点眼容器のことをいう。当該ユニットドーズ型容器には、１回使い切りのために１回使用分の水性組成物が収容されているのが一般的である。また、一般に、ユニットドーズ型点眼容器の容器本体の容量は０．１〜１ｍＬであり、通常０．１ｍＬ〜０．５ｍＬの眼科用組成物が収容される。
【００２５】
一般に、眼科用組成物の単位容量あたりの容器本体への全接触面積は、マルチドーズ型点眼容器の方がユニットドーズ型点眼容器よりも小さい。
【００２６】
本発明の一実施形態におけるマルチドーズ型点眼容器は、抗菌剤として銀が担持されたリン酸ジルコニウム（以下、単に「銀担持リン酸ジルコニウム」ともいう）を含む樹脂で形成されている。
【００２７】
銀担持リン酸ジルコニウムは、無機イオン交換体である六方晶リン酸ジルコニウムに、イオン交換法を用いて銀イオンを担持させたものである。
【００２８】
銀担持リン酸ジルコニウムは、ノバロン（登録商標）ＡＧとして東亞合成株式会社から販売されている。
【００２９】
銀担持リン酸ジルコニウムを含む樹脂で形成されたマルチドーズ型点眼容器は、銀担持リン酸ジルコニウムを配合して練り込んだ加熱融解状の樹脂を成形することによって製造することができる。
【００３０】
本発明の一実施形態において、銀担持リン酸ジルコニウムは、樹脂に対して、０．０８〜１０％（ｗ／ｗ）の濃度で含まれることが好ましく、０．０８超乃至１０％（ｗ／ｗ）以下の濃度で含まれることがより好ましく、０．０８超乃至５％（ｗ／ｗ）以下の濃度で含まれることがさらに好ましく、０．０８超乃至１％（ｗ／ｗ）以下の濃度で含まれることが特に好ましい。
【００３１】
本発明の一実施形態において、銀担持リン酸ジルコニウム中の銀はイオン濃度で、０．００１〜２０％（ｗ／ｗ）含むことが好ましく、０．０１〜２０％（ｗ／ｗ）含むことがより好ましく、０．１〜２０％（ｗ／ｗ）含むことがさらに好ましく、０．５〜１５％（ｗ／ｗ）含むことがよりさらに好ましく、１〜１５％（ｗ／ｗ）含むことがことさら好ましく、５〜１５％（ｗ／ｗ）含むことが特に好ましい。
【００３２】
本発明の一実施形態において、点眼容器は薄肉であることから、銀担持リン酸ジルコニウムの平均粒径は０．０１〜３μｍであることが好ましく、０．１〜２μｍであることがより好ましい。
【００３３】
本組成物は、種々の薬物を単独または適宜組み合わせて適当量含有してもよい。当該薬物は、医薬として許容される薬物であれば特に限定されない。例えば、眼疾患の予防及び／又は治療に使用される薬物が挙げられる。なお、ここで「薬物」は、薬の「有効成分」と同義である。
【００３４】
本発明の一実施形態において、薬物としては、薬物の塩も含まれ、医薬として許容される塩であれば特に制限はなく、塩酸、臭化水素酸、ヨウ化水素酸、硝酸、硫酸、リン酸などの無機酸との塩、酢酸、フマル酸、マレイン酸、コハク酸、クエン酸、酒石酸、アジピン酸、グルコン酸、グルコヘプト酸、グルクロン酸、テレフタル酸、メタンスルホン酸、乳酸、馬尿酸、１，２−エタンジスルホン酸、イセチオン酸、ラクトビオン酸、オレイン酸、パモ酸、ポリガラクツロン酸、ステアリン酸、タンニン酸、トリフルオロメタンスルホン酸、ベンゼンスルホン酸、ｐ−トルエンスルホン酸、硫酸ラウリルエステル、硫酸メチル、ナフタレンスルホン酸、スルホサリチル酸などの有機酸との塩；臭化メチル、ヨウ化メチルなどとの四級アンモニウム塩；臭素イオン、塩素イオン、ヨウ素イオンなどのハロゲンイオンとの塩；リチウム、ナトリウム、カリウムなどのアルカリ金属との塩；カルシウム、マグネシウムなどのアルカリ土類金属との塩；鉄、亜鉛などとの金属塩；アンモニアとの塩；トリエチレンジアミン、２−アミノエタノール、２，２−イミノビス（エタノール）、１−デオキシ−１−（メチルアミノ）−２−Ｄ−ソルビトール、２−アミノ−２−（ヒドロキシメチル）−１，３−プロパンジオール、プロカイン、Ｎ，Ｎ−ビス（フェニルメチル）−１，２−エタンジアミンなどの有機アミンとの塩などが挙げられる。
【００３５】
本組成物に含有される薬物またはその塩は、水和物または溶媒和物の形態をとってもよい。
【００３６】
本組成物には、汎用されている技術を用い、必要に応じて製薬学的に許容される添加物を配合することができる。例えば、界面活性剤、緩衝剤、等張化剤、安定化剤、抗酸化剤、高分子量重合体等を配合することができる。好ましくは、本組成物は、界面活性剤および等張化剤からなる群から選択される少なくとも１種をさらに含む。
【００３７】
界面活性剤としては、例えば、カチオン性界面活性剤、アニオン性界面活性剤、非イオン性界面活性剤を配合することができる。
【００３８】
アニオン性界面活性剤の例としては、硫酸塩系界面活性剤、リン脂質等が挙げられ、硫酸塩系界面活性剤としては、例えば、アルキル硫酸ナトリウム塩、アルキルベンゼン硫酸塩等が挙げられる。リン脂質としては、例えば、レシチン等が挙げられる。
【００３９】
カチオン性界面活性剤の例としては、アルキルアミン塩、アルキルアミンポリオキシエチレン付加物、脂肪酸トリエタノールアミンモノエステル塩、アシルアミノエチルジエチルアミン塩、脂肪酸ポリアミン縮合物、アルキルイミダゾリン、１−アシルアミノエチル−２−アルキルイミダゾリン、１−ヒドロキシルエチル−２−アルキルイミダゾリン等が挙げられる。
【００４０】
非イオン性界面活性剤の例としては、ポリオキシエチレン脂肪酸エステル、ポリオキシエチレンソルビタン脂肪酸エステル、ポリオキシエチレン硬化ヒマシ油、ポリオキシエチレンヒマシ油、ポリオキシエチレンポリオキシプロピレングリコール、ショ糖脂肪酸エステル、ビタミンＥ  ＴＰＧＳ等が挙げられる。
【００４１】
ポリオキシエチレン脂肪酸エステルとしては、ステアリン酸ポリオキシル４０等が挙げられる。
【００４２】
ポリオキシエチレンソルビタン脂肪酸エステルとしては、ポリソルベート８０、ポリソルベート６０、ポリソルベート４０、ポリオキシエチレンソルビタンモノラウレート、ポリオキシエチレンソルビタントリオレート、ポリソルベート６５等が挙げられる。ポリソルベート８０が特に好ましい。
【００４３】
ポリオキシエチレン硬化ヒマシ油としては、酸化エチレンの重合数の異なる種々のポリオキシエチレン硬化ヒマシ油を用いることができ、酸化エチレンの重合数は１０〜１００が好ましく、２０〜８０がより好ましく、４０〜７０が特に好ましく、６０が最も好ましい。ポリオキシエチレン硬化ヒマシ油の具体例としては、ポリオキシエチレン硬化ヒマシ油１０、ポリオキシエチレン硬化ヒマシ油４０、ポリオキシエチレン硬化ヒマシ油５０、ポリオキシエチレン硬化ヒマシ油６０等が挙げられる。
【００４４】
ポリオキシエチレンヒマシ油としては、酸化エチレンの重合数の異なる種々のポリオキシエチレンヒマシ油を用いることができ、酸化エチレンの重合数は５〜１００が好ましく、２０〜５０がより好ましく、３０〜４０が特に好ましく、３５が最も好ましい。ポリオキシエチレンヒマシ油の具体例としては、ポリオキシル５ヒマシ油、ポリオキシル９ヒマシ油、ポリオキシル１５ヒマシ油、ポリオキシル３５ヒマシ油、ポリオキシル４０ヒマシ油等が挙げられる。
【００４５】
ポリオキシエチレンポリオキシプロピレングリコールとしては、ポリオキシエチレン（１６０）ポリオキシプロピレン（３０）グリコール、ポリオキシエチレン（４２）ポリオキシプロピレン（６７）グリコール、ポリオキシエチレン（５４）ポリオキシプロピレン（３９）グリコール、ポリオキシエチレン（１９６）ポリオキシプロピレン（６７）グリコール、ポリオキシエチレン（２０）ポリオキシプロピレン（２０）グリコール等が挙げられる。
【００４６】
ショ糖脂肪酸エステルとしては、ショ糖ステアリン酸エステル等が挙げられる。
【００４７】
ビタミンＥ  ＴＰＧＳは、トコフェロールポリエチレングリコール１０００コハク酸エステルともいう。
【００４８】
本組成物に界面活性剤を配合する場合の界面活性剤の含有量は、界面活性剤の種類等により適宜調整することができるが、０．００１〜１０％（ｗ／ｖ）が好ましく、０．０１〜５％（ｗ／ｖ）がより好ましく、０．０１〜３％（ｗ／ｖ）がさらに好ましく、０．０１〜１％（ｗ／ｖ）がよりさらに好ましい。
【００４９】
これらの界面活性剤は、１種単独で使用してもよく、また２種以上を任意に組み合わせて使用してもよい。
【００５０】
本組成物には、医薬品の添加物として使用可能な緩衝剤を配合することができる。例えば、リン酸又はその塩、クエン酸又はその塩、酢酸又はその塩、炭酸又はその塩、酒石酸又はその塩、ε−アミノカプロン酸、トロメタモール等が挙げられる。
【００５１】
リン酸塩としては、リン酸ナトリウム、リン酸二水素ナトリウム、リン酸水素二ナトリウム、リン酸カリウム、リン酸二水素カリウム、リン酸水素二カリウム等が挙げられ、クエン酸塩としては、クエン酸ナトリウム、クエン酸二ナトリウム等が挙げられ、酢酸塩としては、酢酸ナトリウム、酢酸カリウム等が挙げられ、炭酸塩としては、炭酸ナトリウム、炭酸水素ナトリウム等が挙げられ、酒石酸塩としては、酒石酸ナトリウム、酒石酸カリウム等が挙げられる。
【００５２】
本組成物に緩衝剤を配合する場合の緩衝剤の含有量は、緩衝剤の種類等により適宜調整することができるが、０．００１〜１０％（ｗ／ｖ）が好ましく、０．０１〜５％（ｗ／ｖ）がより好ましく、０．１〜３％（ｗ／ｖ）がさらに好ましく、０．２〜２％（ｗ／ｖ）が最も好ましい。
【００５３】
これらの緩衝剤は、１種単独で使用してもよく、また２種以上を任意に組み合わせて使用してもよい。
【００５４】
本組成物には、医薬品の添加物として使用可能な等張化剤を適宜配合することができる。等張化剤の例としては、イオン性等張化剤、非イオン性等張化剤等が挙げられる。イオン性等張化剤としては、塩化ナトリウム、塩化カリウム、塩化カルシウム、塩化マグネシウム、ホウ酸、ホウ砂などが挙げられ、非イオン性等張化剤としてはグリセリン、プロピレングリコール、ソルビトール、マンニトール等が挙げられる。本組成物に等張化剤を配合する場合の等張化剤の含有量は、等張化剤の種類等により適宜調整することができるが、０．０１〜１０％（ｗ／ｖ）が好ましく、０．１〜５％（ｗ／ｖ）がより好ましく、０．５〜３％（ｗ／ｖ）が最も好ましい。
【００５５】
これらの等張化剤は、１種単独で使用してもよく、また２種以上を任意に組み合わせて使用してもよい。
【００５６】
本組成物には、医薬品の添加物として使用可能な安定化剤を適宜配合することができる。例えば、エデト酸、エデト酸一ナトリウム、エデト酸二ナトリウム、エデト酸四ナトリウム、クエン酸ナトリウム等が挙げられ、エデト酸二ナトリウムが好ましく、エデト酸二ナトリウム二水和物が特に好ましい。本組成物に安定化剤を配合する場合の安定化剤の含有量は、安定化剤の種類等により適宜調整することができるが、０．０００１〜０．５％（ｗ／ｖ）が好ましく、０．０００５〜０．３％（ｗ／ｖ）がより好ましく、０．００１〜０．１％（ｗ／ｖ）がさらに好ましく、０．００２〜０．０８％（ｗ／ｖ）がもっと好ましく、０．００３〜０．０７％（ｗ／ｖ）が一層好ましく、０．００５〜０．０６％（ｗ／ｖ）が特に好ましく、０．００７〜０．０５％（ｗ／ｖ）が最も好ましい。
【００５７】
これらの安定化剤は、１種単独で使用してもよく、また２種以上を任意に組み合わせて使用してもよい。
【００５８】
本組成物には、医薬品の添加物として使用可能な抗酸化剤を適宜配合することができる。抗酸化剤の例としては、アスコルビン酸、トコフェロール、ジブチルヒドロキシトルエン、ブチルヒドロキシアニソール、エリソルビン酸ナトリウム、没食子酸プロピル、亜硫酸ナトリウム等が挙げられる。本組成物に抗酸化剤を配合する場合の抗酸化剤の含有量は、抗酸化剤の種類等により適宜調整することができるが、０．０００１〜１％（ｗ／ｖ）が好ましく、０．００１〜０．１％（ｗ／ｖ）がより好ましく、０．００５〜０．０１％（ｗ／ｖ）が最も好ましい。
【００５９】
これらの抗酸化剤は、１種単独で使用してもよく、また２種以上を任意に組み合わせて使用してもよい。
【００６０】
本組成物には、医薬品の添加物として使用可能な高分子量重合体を適宜配合することができる。高分子量重合体の例としては、メチルセルロース、エチルセルロース、ヒドロキシメチルセルロース、ヒドロキシエチルセルロース、ヒドロキシプロピルセルロース、ヒドロキシエチルメチルセルロース、ヒドロキシプロピルメチルセルロース、カルボキシメチルセルロース、カルボキシメチルセルロースナトリウム、ヒドロキシプロピルメチルセルロースアセテートサクシネート、ヒドロキシプロピルメチルセルロースフタレート、カルボキシメチルエチルセルロース、酢酸フタル酸セルロース、ポリビニルピロリドン、ポリビニルアルコール、カルボキシビニルポリマー、ポリエチレングリコール等が挙げられる。本組成物に高分子量重合体を配合する場合の高分子量重合体の含有量は、高分子量重合体の種類等により適宜調整することができるが、０．００１〜５％（ｗ／ｖ）が好ましく、０．０１〜３％（ｗ／ｖ）がより好ましく、０．１〜１％（ｗ／ｖ）が最も好ましい。
【００６１】
これらの高分子量重合体は、１種単独で使用してもよく、また２種以上を任意に組み合わせて使用してもよい。
【００６２】
更に、本組成物の浸透圧は特定の値に制限されないが、生体に許容される範囲とされる。本発明の水性組成物の浸透圧は、例えば、１００〜１０００ｍＯｓｍ、好ましくは２００〜５００ｍＯｓｍ、より好ましくは２５０〜３５０ｍＯｓｍである。一般的に、水性組成物の浸透圧は少なからず水性組成物中の薬物や添加剤の量に影響を受ける。本発明において、浸透圧は浸透圧に影響を与え得るこれらの物質の量を適当に調整して、上記の範囲になるよう調整され得る。本発明の水性組成物の浸透圧は、通常の方法で測定されできることに留意すべきである。例えば、本発明の水性組成物の浸透圧は、第十五改正日本薬局方第の「浸透圧測定法（オスモル濃度測定法）」に記載の方法に従って測定できる。
【００６３】
本組成物のｐＨは眼科用製品に許容される範囲内にあれば特に制限されないが、７未満が好ましく、３以上７未満がより好ましく、３以上６以下がさらに好ましく、４以上６以下がよりさらに好ましく、５の近傍が特に好ましい。より具体的には、例えば、３．０、３．１、３．２、３．３、３．４、３．５、３．６、３．７、３．８、３．９、４．０、４．１、４．２、４．３、４．４、４．５、４．６、４．７、４．８、４．９、５．０、５．１、５．２、５．３、５．４、５．５、５．６、５．７、５．８．５．９、６．０、６．１、６．２、６．３、６．４、６．５、６．６、６．７、６．８または６．９が挙げられる。本組成物のｐＨは、適宜、塩酸、硫酸、硝酸、ホウ酸および／または水酸化ナトリウムなどのｐＨ調節剤を添加物として配合して調節することができる。
【００６４】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【００６５】
〔まとめ〕
以上のように、本発明の一態様は、以下に関する。
【００６６】
〔１〕銀担持リン酸ジルコニウムを含む樹脂で形成されたマルチドーズ型点眼容器に、ｐＨが７未満である眼科用組成物が収容された眼科用製品。
【００６７】
〔２〕前記眼科用組成物と接触している前記樹脂の一部または全部が銀担持リン酸ジルコニウムを含む、〔１〕に記載の眼科用製品。
【００６８】
〔３〕前記樹脂に対して、０．０８〜１０％（ｗ／ｗ）の濃度の銀担持リン酸ジルコニウムを含む、〔１〕または〔２〕に記載の眼科用製品。
【００６９】
〔４〕前記樹脂に対して、０．０８超乃至１０％（ｗ／ｗ）以下の濃度の銀担持リン酸ジルコニウムを含む、〔１〕または〔２〕に記載の眼科用製品。
【００７０】
〔５〕前記樹脂に対して、０．０８超乃至５％（ｗ／ｗ）以下の濃度の銀担持リン酸ジルコニウムを含む、〔１〕または〔２〕に記載の眼科用製品。
【００７１】
〔６〕前記樹脂に対して、０．０８超乃至１％（ｗ／ｗ）以下の濃度の銀担持リン酸ジルコニウムを含む、〔１〕または〔２〕に記載の眼科用製品。
【００７２】
〔７〕前記銀担持リン酸ジルコニウムが、銀をイオン濃度で０．００１〜２０％（ｗ／ｗ）含む、〔１〕〜〔６〕のいずれかに記載の眼科用製品。
【００７３】
〔８〕前記眼科用組成物が防腐剤を実質的に含有しない、〔１〕〜〔７〕のいずれかに記載の眼科用製品。
【００７４】
〔９〕樹脂に対して、０．０８〜１０％（ｗ／ｗ）の濃度の銀担持リン酸ジルコニウムを含む樹脂で形成されたマルチドーズ型点眼容器に、ｐＨが７未満である眼科用組成物が収容された眼科用製品であって、前記眼科用組成物と接触している前記樹脂の一部または全部が銀担持リン酸ジルコニウムを含み、前記銀担持リン酸ジルコニウムが、銀をイオン濃度で０．００１〜２０％（ｗ／ｗ）含み、前記眼科用組成物が防腐剤を実質的に含有しない、眼科用製品。
【００７５】
〔１０〕前記眼科用組成物のｐＨが３以上、７未満である、〔１〕〜〔９〕のいずれかに記載の眼科用製品。
【００７６】
〔１１〕前記眼科用組成物が、界面活性剤および等張化剤からなる群から選択される少なくとも１種をさらに含む、〔１〕〜〔１０〕のいずれか１項に記載の眼科用製品。
【００７７】
〔１２〕前記界面活性剤が、非イオン性界面活性剤である、〔１１〕に記載の眼科用製品。
【００７８】
〔１３〕前記非イオン性界面活性剤が、ポリオキシエチレン脂肪酸エステル、ポリオキシエチレンソルビタン脂肪酸エステル、ポリオキシエチレン硬化ヒマシ油、ポリオキシエチレンヒマシ油、ポリオキシエチレンポリオキシプロピレングリコール、ショ糖脂肪酸エステルおよびビタミンＥ  ＴＰＧＳからなる群から選択される少なくとも１種である、〔１２〕に記載の眼科用製品。
【００７９】
〔１４〕前記等張化剤が、イオン性等張化剤および／または非イオン性等張化剤である、〔１１〕に記載の眼科用製品。
【００８０】
〔１５〕前記イオン性等張化剤が、塩化ナトリウム、塩化カリウム、塩化カルシウム、塩化マグネシウム、ホウ酸およびホウ砂からなる群から選択される少なくとも１種である、〔１４〕に記載の眼科用製品。
【００８１】
〔１６〕前記非イオン性等張化剤が、グリセリン、プロピレングリコール、ソルビトールおよびマンニトールからなる群から選択される少なくとも１種である、〔１４〕に記載の眼科用製品。
【００８２】
〔１７〕前記マルチドーズ型点眼容器の容器本体の容量が５〜２０ｍＬである、〔１〕〜〔１６〕のいずれかに記載の眼科用製品。
【００８３】
〔１８〕前記眼科用組成物の総容量が２〜２０ｍＬである、〔１〕〜〔１７〕のいずれかに記載の眼科用製品。
【００８４】
〔１９〕前記眼科用組成物が点眼剤である、〔１〕〜〔１８〕のいずれかに記載の眼科用製品。
【００８５】
〔２０〕前記眼科用製品が点眼剤製品である、〔１〕〜〔１９〕のいずれかに記載の眼科用製品。
【００８６】
〔２１〕ｐＨが７未満である眼科用組成物であって、前記眼科用組成物が、銀担持リン酸ジルコニウムを含む樹脂で形成されたマルチドーズ型点眼容器に収容されていることを特徴とする眼科用組成物。
【実施例】
【００８７】
以下に、試験結果および製剤例を示すが、これらの例は本発明をよりよく理解するためのものであり、本発明の範囲を限定するものではない。【００８８】
［保存効力試験−１］
銀担持体の種類が抗菌性能に及ぼす影響を検討した。【００８９】
（試料作製）
銀担持体が配合されたプラスチックプレートを作成した。【００９０】
＜銀担持リン酸ジルコニウム配合プレート＞
０．５％（ｗ／ｗ）の濃度の銀担持リン酸ジルコニウム（メーカー：東亞合成株式会社、製品名：ノバロン（登録商標）ＡＧ１１００）が配合されたポリプロピレンプレート（高さ２ｍｍ；プレートの表と裏の表面積の合計は１２０ｃｍ２である）を作成した。【００９１】
＜銀担持ゼオライト配合プレート＞
０．５％（ｗ／ｗ）の濃度の銀担持ゼオライト（メーカー：シナミンゼオミック、製品名：ＤＡＷ５０２）が配合されたポリエチレンプレート（高さ２ｍｍ；プレートの表と裏の表面積の合計は１２０ｃｍ２である）を作成した。【００９２】
（サンプル作成）
滅菌済みガラスパイレックス（登録商標）瓶に、作成したプラスチックプレートを入れ、次いで生理食塩水１５ｍＬを加え、当該プラスチックプレートを浸漬させて、試験に用いるサンプルを作成した。この場合、プラスチックプレートの生理食塩水との接液面積は８ｃｍ２／ｍＬである。【００９３】
（試験方法）
保存効力試験は、第十五改正日本薬局方の保存効力試験法を参考に行った。試験菌を接種し、１４日後、２８日後に菌数を測定した。本試験では、試験菌として、Ｅｓｈｅｒｉｃｈｉａ  Ｃｏｌｉ（Ｅ．ｃｏｌｉ）、Ｐｓｅｕｄｏｍｏｎａｓ  ａｅｒｕｇｉｎｏｓａ（Ｐ．ａｅｒｕｇｉｎｏｓａ）を用いた。【００９４】
（試験結果）
試験結果を表１に示す。なお、表１の試験結果（初期値、１４日後、２８日後）は、菌数経時変化（個／ｍＬ）を示している。【００９５】
【表１】
2019107569.tif 000002
（考察）
表１に示すように、銀担持リン酸ジルコニウムは、銀担持ゼオライトよりも高い抗菌力を有することが示された。【００９６】
［重金属評価試験］
試料中の重金属を評価した。【００９７】
（試料調製）
銀担持体が配合されたプラスチックプレートを作成した。【００９８】
＜銀担持リン酸ジルコニウム配合プレート＞
０．５％（ｗ／ｗ）または１．０％（ｗ／ｗ）の濃度の銀担持リン酸ジルコニウム（メーカー：東亞合成株式会社、製品名：ノバロン（登録商標）ＡＧ１１００）が配合されたポリプロピレンプレートをそれぞれ作成した。【００９９】
＜銀担持ゼオライト配合プレート＞
１％（ｗ／ｗ）、２％（ｗ／ｗ）または３％（ｗ／ｗ）の濃度の銀担持ゼオライト（メーカー：カネボウ、製品名：ＢＭ−１０２ＴＧ）が配合されたポリプロピレンプレートをそれぞれ作成した。【０１００】
＜銀担持ガラス配合プレート＞
１％（ｗ／ｗ）の濃度の銀担持ガラス（メーカー：石塚ガラス、製品名：ＪＮ）が配合されたポリプロピレンプレートを作成した。【０１０１】
（試験方法）
日局一般試験法「プラスチック製医薬品容器試験法」１灰化試験１・２重金属（点眼剤用プラスチック容器の規格及び試験法について（薬発３３６号（平成８年３月２８日））の別添、重金属）に準じて試料中の重金属を評価した。【０１０２】
（判定基準）
日局一般試験法「プラスチック製医薬品容器試験法」１灰化試験１・２重金属（点眼剤用プラスチック容器の規格及び試験法について（薬発３３６号（平成８年３月２８日））の別添、重金属）に準じて試験したとき、検液の色が比較液より濃くない（２０ｐｐｍ以下）場合を合格とする。ただし、容器切片採取量は１．０ｇとする。【０１０３】
（試験結果）
表２に試験結果を示す。【０１０４】
【表２】
2019107569.tif 000003
表２に示すように、銀担持リン酸ジルコニウムが配合されたプレートでは、検液の色は比較液より濃くならず、上記判定基準を満たした。一方、銀担持ゼオライトや銀担持ガラスが配合されたプレートでは、分析不能で、上記判定基準を満たすか判定できなかった。【０１０５】
（考察）
以上の重金属評価試験の結果から、銀担持リン酸ジルコニウムが点眼剤用プラスチック容器に好ましいことが示された。【０１０６】
［保存効力試験−２］
銀担持リン酸ジルコニウムを含む樹脂で形成されたマルチドーズ型点眼容器を用いて、保存効力試験を行った。【０１０７】
（試料調製）
点眼液１：
表３に示す処方に従って、点眼液１を調製した。具体的には、ジクアホソルナトリウム（ＡＰＩ；３ｇ）、エデト酸ナトリウム（キレート剤；０．０１ｇ）、濃グリセリン（等張化剤；１．４ｇ）を水に溶解し、希塩酸（ｐＨ調節剤）を加えて、ｐＨを５付近とした後、水を適量加えて全量を１００ｍＬとした。【０１０８】
点眼液２：
表３に示す処方に従って、点眼液２を調製した。具体的には、ジクアホソルナトリウム（ＡＰＩ；３ｇ）、エデト酸ナトリウム（キレート剤；０．０１ｇ）、ホウ酸（等張化剤；１．１ｇ）を水に溶解し、水酸化ナトリウム（ｐＨ調節剤）を加えて、ｐＨを５付近とした後、水を適量加えて全量を１００ｍＬとした。【０１０９】
点眼液３：
表３に示す処方に従って、点眼液３を調製した。具体的には、ジクアホソルナトリウム（ＡＰＩ；３ｇ）、エデト酸ナトリウム（キレート剤；０．０１ｇ）、濃グリセリン（等張化剤；１．４ｇ）を水に溶解し、希塩酸（ｐＨ調節剤）を加えて、ｐＨを５付近とした後、水を適量加えて全量を１００ｍＬとした。【０１１０】
点眼液４：
表３に示す処方に従って、点眼液４を調製した。具体的には、ジクアホソルナトリウム（ＡＰＩ；３ｇ）、エデト酸ナトリウム（キレート剤；０．０１ｇ）、ホウ酸（等張化剤；１．１ｇ）を水に溶解し、水酸化ナトリウム（ｐＨ調節剤）を加えて、ｐＨを５付近とした後、水を適量加えて全量を１００ｍＬとした。【０１１１】
なお、ＡＰＩとしてジクアホソルナトリウムを用いたが、点眼液中で保存すると目視可能な不溶性析出物が発生するおそれがあることからキレート剤であるエデト酸ナトリウムを添加した（国際公開ＷＯ２０１２−０９０９９４号パンフレット参照）。【０１１２】
点眼容器：
加熱溶解したポリエチレン樹脂に、銀をイオン濃度で１０％（ｗ／ｗ）含む平均粒径１μｍの銀担持リン酸ジルコニウムを０．０８％（ｗ／ｗ）または１％（ｗ／ｗ）添加して均一に練り込み、点眼容器の容器本体（容積７．９ｍＬ、高さ４５．２ｍｍ、胴型１９．４５ｍｍ）を製造した。銀担持リン酸ジルコニウムは、東亞合成株式会社製の銀系無機抗菌剤「ノバロン（登録商標）ＡＧ」１１００を使用した。【０１１３】
【表３】
2019107569.tif 000004
（試験方法）
保存効力試験は、第十七改正日本薬局方の保存効力試験法に準拠して行なった。本試験では、試験菌株として、Ｅｓｈｅｒｉｃｈｉａ Ｃｏｌｉ（Ｅ．ｃｏｌｉ）、Ｐｓｅｕｄｏｍｏｎａｓ ａｅｒｕｇｉｎｏｓａ（Ｐ．ａｅｒｕｇｉｎｏｓａ）、Ｓｔａｐｈｙｌｏｃｏｃｃｕｓ ａｕｒｅｕｓ（Ｓ．ａｕｒｅｕｓ）、Ｃａｎｄｉｄａ ａｌｂｉｃａｎｓ（Ｃ．ａｌｂｉｃａｎｓ）およびＡｓｐｅｒｇｉｌｌｕｓ ｂｒａｓｉｌｉｅｎｓｉｓ（Ａ．ｂｒａｓｉｌｉｅｎｓｉｓ）を用いた。これらの菌株をそれぞれカンテン斜面培地の表面に接種して前培養した。前培養用のカンテン培地としては、細菌の場合はソイビーン・カゼイン・ダイジェストカンテン培地を、真菌の場合はサブロー・ブドウ糖カンテン培地を用いた。細菌の場合は３０〜３５℃で１８〜２４時間、Ｃａｎｄｉｄａ  ａｌｂｉｃａｎｓは２０〜２５℃で４４〜５２時間、Ａｓｐｅｒｇｉｌｌｕｓ  ｂｒａｓｉｌｉｅｎｓｉｓは２０〜２５℃で１週間又は十分な胞子が形成されるまで前培養した。【０１１４】
点眼液１〜４を５本の滅菌済みの上記点眼容器に５ｍＬずつ分注し、中栓を装着し、キャップで密封した。６０℃で１か月遮光保存した後、前培養した試験菌を１０５〜１０６個／ｍＬとなるよう接種した。なお、試験菌は混合せず、それぞれ単独に各検体に接種した。保存開始から１週、２週及び４週保存後に各混合試料から０．５ｍＬをサンプリングした液を培養し、生菌数の測定を行った。【０１１５】
表４に従い、保存効力を判定した。【０１１６】
【表４】
2019107569.tif 000005
（試験結果）
試験結果を表５に示す。なお、表５の試験結果は検査時の生菌数が接種した菌数に比べてどの程度減少したかをｌｏｇ ｒｅｄｕｃｔｉｏｎで示しており、たとえば「１」の場合には、検査時の生菌数が接種菌数の１０％に減少したことを示している。【０１１７】
【表５】
2019107569.tif 000006
表５に示された通り、製品３、４は、６０℃１か月保存後においても、保存効力を有することが示された。【０１１８】
一般に、眼科用組成物の単位容量あたりの容器本体への全接触面積は、マルチドーズ型点眼容器の方がユニットドーズ型点眼容器よりも小さい。マルチドーズ型点眼容器であっても本製品が優れた保存効力を有することが示された。【０１１９】
［保存効力試験−３］
銀担持リン酸ジルコニウムを含む樹脂で形成されたマルチドーズ型点眼容器を用いて、保存効力試験を行った。【０１２０】
（試料調製）
点眼液：
表６に示す処方に従って、点眼液５を調製した。具体的には、濃グリセリン（１．３ｇ）、リン酸水素ナトリウム水和物（１．０ｇ）を水に溶解し、ｐＨ調節剤（１Ｎ水酸化ナトリウム溶液／硫酸）を加えて、ｐＨを５．０とした後、水を適量加えて全量を１００ｍＬとした。点眼液６〜８も表６に示す処方に従って、点眼液５と同様に調製した。【０１２１】
点眼容器：
加熱溶解したポリエチレン樹脂に、銀をイオン濃度で１０％（ｗ／ｗ）含む平均粒径１μｍの銀担持リン酸ジルコニウムを０．５％（ｗ／ｗ）添加して均一に練り込み、点眼容器の容器本体（容積７．９ｍＬ、高さ４５．２ｍｍ、胴型１９．４５ｍｍ）を製造した。銀担持リン酸ジルコニウムは、東亞合成株式会社製の銀系無機抗菌剤「ノバロン（登録商標）ＡＧ」１１００を使用した。【０１２２】
【表６】
2019107569.tif 000007
（試験方法）
保存効力試験は、第十七改正日本薬局方の保存効力試験法を参考に行なった。本試験では、試験菌株として、Ｅｓｈｅｒｉｃｈｉａ Ｃｏｌｉ（Ｅ．ｃｏｌｉ）、Ｐｓｅｕｄｏｍｏｎａｓ ａｅｒｕｇｉｎｏｓａ（Ｐ．ａｅｒｕｇｉｎｏｓａ）およびＳｔａｐｈｙｌｏｃｏｃｃｕｓ ａｕｒｅｕｓ（Ｓ．ａｕｒｅｕｓ）を用いた。これらの菌株をそれぞれカンテン斜面培地の表面に接種して前培養した。前培養用のカンテン培地としては、ソイビーン・カゼイン・ダイジェストカンテン培地を用いた。３０〜３５℃で１８〜２４時間前培養した。【０１２３】
点眼液５〜８を５本の滅菌済みの上記点眼容器に５ｍＬずつ分注し、中栓を装着し、キャップで密封した。６０℃で１か月遮光保存後、前培養した試験菌を１０５〜１０６個／ｍＬとなるよう接種した。なお、試験菌は混合せず、それぞれ単独に各検体に接種した。保存開始から１週及び２週保存後に各混合試料から０．５ｍＬをサンプリングした液を培養し、生菌数の測定を行った。【０１２４】
表７に従い、保存効力を判定した。【０１２５】
【表７】
2019107569.tif 000008
（試験結果）
試験結果を表８に示す。なお、表８の試験結果は検査時の生菌数が接種した菌数に比べてどの程度減少したかをｌｏｇ ｒｅｄｕｃｔｉｏｎで示しており、たとえば「１」の場合には、検査時の生菌数が接種菌数の１０％に減少したことを示している。【０１２６】
【表８】
2019107569.tif 000009
表８に示された通り、ｐＨが中性付近の点眼液を収容する本製品の保存効力は低かったが（比較例１）、ｐＨが酸性付近の点眼液を収容する本製品は、６０℃１か月保存後においても高い保存効力を有することが示された（実施例１〜３）。特に、ｐＨが酸性付近であって、ポリソルベート８０を含有する点眼液を収容する本製品は優れた保存効力を有することが示された（実施例３）。【０１２７】
［製剤例］
製剤例を挙げて本発明をさらに具体的に説明するが、本発明はこれらの製剤例にのみに限定されるものでない。【０１２８】
（製剤例１：水性点眼液）
１００ｍＬ中
リン酸水素ナトリウム ０．２ｇ
濃グリセリン ２．４ｇ
エデト酸ナトリウム ０．０１ｇ
ｐＨ調節剤 適量
水 適量
リン酸水素ナトリウム（０．２ｇ）、濃グリセリン（２．４ｇ）、エデト酸ナトリウム（０．０１ｇ）を水に溶解し、ｐＨ調節剤（塩酸または水酸化ナトリウム溶液）を加えて、ｐＨを５．０とした後、水を適量加えて全量を１００ｍＬとし、十分に撹拌することで点眼液を調製できる。【０１２９】
（製剤例２：水性点眼液）
１００ｍＬ中
濃グリセリン １．２ｇ
ホウ酸 １．０ｇ
ｐＨ調節剤 適量
水 適量
濃グリセリン（１．２ｇ）、ホウ酸（１．０ｇ）を水に溶解し、ｐＨ調節剤（塩酸または水酸化ナトリウム溶液）を加えて、ｐＨを５．０とした後、水を適量加えて全量を１００ｍＬとし、十分に撹拌することで点眼液を調製できる。
【産業上の利用可能性】
【０１３０】
銀担持リン酸ジルコニウムを含む樹脂で形成されたマルチドーズ型点眼容器に、ｐＨが７未満である眼科用組成物が収容された眼科用製品が優れた保存効力を有する。本発明は、上述の逆流防止弁やフィルター付きデラミボトルなど物理的な構造を施さなくても、一定期間複数回使用でき、上述のユニットドーズ型点眼容器の欠点もないことから有用である。
【国際調査報告】
2019107569.tif 000010
2019107569.tif 000011